(57)【要約】  ナイフなどの切削工具のブレード（２）を研削する装置（１）であり、装置は、各々が研磨用内面（３ａ）を有している少なくとも２つの可撓性ディスク（３）であって、ディスクそれぞれは、互いに対向している研磨面（３ａ）に接しており、同方向に同じ速度で同一の軸（４）を中心に回転するように取り付けられている、少なくとも２つの可撓性ディスク（３）と、可撓性ディスク（３）の外側に配置され、非直径方向の弦に沿ってディスクを押し付ける、押圧手段（５）と、それぞれのディスクの内側にある内部手段（６）であって、弦によって画定された部分であって軸（４）が交差していない方の部分内において、ディスク（３）の内面（３ａ）に圧力をかけ、押圧手段（５）に対する内部手段（６）の位置の選択に応じて研削角（α）を決定する、内部手段（６）と、を備える。
2020506078.tif 000002
【特許請求の範囲】
【請求項１】
ナイフ型などの切削工具のブレード（２）を研削する装置（１）であって、
少なくとも２つの可撓性ディスク（３）であって、各々が研磨用内面（３ａ）を有し、対向する研磨面（３ａ）と並び、同方向に同じ速度で同一の軸（４）を中心に回転するように取り付けられている、少なくとも２つの可撓性ディスク（３）、を備える研削装置（１）であり、
外側に配置される押圧手段（５）であって、非直径方向の弦に沿って前記可撓性ディスク（３）を把持する、押圧手段（５）と、
前記ディスクのそれぞれの内側にある手段（６）であって、弦によって画定された部分であって前記軸（４）が貫通していない部分内において、前記ディスク（３）の前記内面（３ａ）に支圧をかけ、前記押圧手段（５）に対する前記内部手段（６）の位置の選択に応じて研削角（α）を決定する、内部手段（６）と、
を備えていることを特徴とする、研削装置（１）。
【請求項２】
前記押圧手段（５）は、一列に並んだ担持用ボール（５１）で構成されていることを特徴とする、請求項１記載の研削装置（１）。
【請求項３】
前記押圧手段（５）は、互いに対向するように位置し、前記可撓性ディスク（３）に接触して配置されている摺動手段に連動している、極性が逆の２つの磁石で構成されている、ことを特徴とする、請求項１記載の研削装置（１）。
【請求項４】
前記押圧手段（５）は、セラミック製または鋼製の半月形の棒材で構成されている、ことを特徴とする、請求項１記載の研削装置（１）。
【請求項５】
前記研磨用内面（３ａ）は、前記可撓性ディスク（３）上に両面使用可能に取り付けられ固定されている研磨用ディスク（７）で構成されている、ことを特徴とする、請求項１から４のいずれか１項に記載の研削装置（１）。
【請求項６】
前記研磨用ディスク（７）は、ベルベットフック型の固定機構によって前記可撓性ディスク（３）に固定されていることを特徴とする、先行する請求項のいずれか１項に記載の研削装置（１）。
【請求項７】
前記ディスク（３）の前記内面（３ａ）に支圧をかける前記内部手段（６）は、弦によって画定された部分であって前記可撓性ディスク（３）の各々の前記軸（４）が貫通していない部分の周囲を転動するように意図されるボールスペーサで構成されていることを特徴とする、請求項１記載の研削装置（１）。
【請求項８】
前記研削装置（１）は、その上部に、階段形状の脱着可能なブレードガイド（８）が設けられており、前記ブレードガイド（８）は、弦によって画定された部分であって前記２つの可撓性ディスク（３）の前記軸（４）が貫通していない部分同士の間に位置することが可能であることを特徴とする、請求項１から７のいずれか１項に記載の研削装置（１）。
【発明の詳細な説明】
【発明の詳細な説明】
【０００１】
本発明は、刃物、特にナイフを研削する装置の分野に関する。
周知の方法において、ブレードの研削が可能な機械が多数存在している。これらの機械は、一般的には、回転式研磨ストリップまたは回転式円形研磨石を有する砥石車機構を有しており、回転して研削される刃面のどちらか片側に接触する。
【０００２】
実際には、研削作業を行うために、作業者は、研削されるブレードの２つの面の１つずつを、研磨ストリップまたは円形研磨石に交互に押し当てる。
これらの機構においては、片側の研削後にもう片側を研磨するためにはブレードを裏返す必要があるという難点があり、この動作は、作業者に対し、ある程度熟練していてブレードを直角に保てるある程度の経験があり、かつ、所望の研削形状が得られることを要求する。
【０００３】
この問題を解決するために、交差する２つの研磨ストリップまたは円形研磨石を有する研削機械が製造されてきた。この両側研磨機構を用いると、ブレードは、２つの研磨ストリップまたは２つの研磨石の間に位置決めされることになり、それぞれに対向する面の同時研削を可能にする。
【０００４】
しかしながら、これらの機構においては、そのブレードに望まれる用途に見合う適切なブレードの角度が得られるようにするためにはその作業者の特別に機敏な動作を必要とする、という難点がある。
【０００５】
この問題を解決するために、研削作業中にブレードを挟み込んで保持することを可能にするブレードガイド機構が使用されている。これらの機構は、両側研磨ストリップまたは研磨石の上流側に位置している。
【０００６】
それでも、従来技術から既知の研削機械は、完全に満足できるものではない。
実際のところ、機械の使用者にとっては研削時間は長く、１〜３分程度かかる。さらに、研削角の精度には、当初の角度に対する誤差のリスクが含まれており、その値は１０〜２５％になる可能性がある。これは、研削されるブレードの使用者にとって、まだ高すぎる値である。
【０００７】
既存のブレード研削装置に対し、上述の難点がなく、容易な研削、高速での実行、及び既存の装置よりも優れた品質と研削角精度が実現可能である、別の解決法を見出さなくてはならない。
【０００８】
本発明は、これらの従来技術の難点を、ナイフ型などの切削工具のブレードを研削する装置を提案することによって補うことを目的とする。
本装置は、少なくとも２つの可撓性ディスクであって、各々が研磨用内面を有し、対向する研磨面と並び、同方向に同じ速度で同一の軸を中心に回転するように取り付けられている、少なくとも２つの可撓性ディスクと、外側に配置され、前記ディスクを非直径方向の弦に沿って把持する、押圧手段と、前記ディスクのそれぞれの内側にある手段であって、弦によって画定された部分であって軸が貫通していない部分内において、ディスクの内面に支圧をかけ、前記押圧手段に対する内部手段の位置の選択に応じて研削角を決定する、内部手段と、を備えている。
【０００９】
さらに、本発明の他の特徴によれば、
・前記押圧手段は、一列に並んだ担持用ボールで構成される。
・前記押圧手段は、互いに対向するように位置し、前記可撓性ディスクに接触して配置される摺動手段に連動する、極性が逆の２つの磁石で構成される。
【００１０】
・前記研磨用内面は、前記可撓性ディスクに両面使用可能に取り付けられ固定される研磨用ディスクで構成される。
・前記研磨用ディスクは、ベルベットフック型の固定機構を介して前記可撓性ディスクに固定される。
【００１１】
・前記ディスクの前記内面に支圧をかける前記内部手段は、弦によって画定された部分であって前記可撓性ディスクの各々の軸が貫通していない部分の周囲を転動するように意図されるボールスペーサで構成される。
【００１２】
有利には、本発明によれば、本装置は、その上部に、階段形状の脱着可能なブレードガイドが設けられており、ブレードガイドは、弦によって画定され、２つの可撓性ディスクの軸が貫通していない２つの部品同士の間に配置されることが可能である。
【００１３】
本発明の他の特徴及び利点は、以下に続く、これに限定されない本発明の実施形態の、添付の図面を参照とする詳細な説明から明らかになるであろう。
【図面の簡単な説明】
【００１４】
【図１】図１は、本発明の研削装置の概観断面図を模式的に示している。
【図２】図２は、可撓性ディスクの外面の正面図を模式的に示している。
【図３Ａ】図３Ａ及び３Ｂは、可撓性ディスクの内面の図を、研磨手段を支持する接着手段のある状態とない状態をそれぞれ模式的に示している。
【図３Ｂ】図３Ａ及び３Ｂは、可撓性ディスクの内面の図を、研磨手段を支持する接着手段のある状態とない状態をそれぞれ模式的に示している。
【発明を実施するための形態】
【００１５】
本発明はブレード２用の研削装置１に関する。
対象となるブレード２はナイフ型などであり、例えば包丁や外科用メスである。
図１に示されているように、本発明の装置１は２つの可撓性ディスク３を備えている。
【００１６】
有利には、可撓性ディスク３は、プラスチック、厚紙、可撓性鋼材等の材料からなる。
本発明によれば、図３Ａ及び図３Ｂに示されているように、各可撓性ディスク３は内面３ａ及び外面３ｂを有している。
【００１７】
内面３ａは研磨用であり、ブレード２を研削する機能を有する。
本発明のある好適な実施形態によれば、内面３ａは例えば、可撓性ディスク３に両面使用可能に取り付けられ固定されている研磨用ディスク７で構成されている。
【００１８】
好ましくは、研磨用ディスク７においては、粒径が８〜５０００ｎｍである。
好ましくは、研磨用ディスク７も可撓性であり、ベルベットフック型の固定機構を介して可撓性ディスク３に固定されている。
【００１９】
しかしながら、従来技術から既知である他の任意の両面使用可能な固定手段、例えば両面接着剤、プルタブ式機構、押しボタン式機構、または磁石式機構といった手段も使用可能である。
【００２０】
図１に示されているように、２つの可撓性ディスク３は互いに並んでおり、それぞれの研磨面が互いに対向するように取り付けられている。
本発明によれば、可撓性ディスク３は、同一の軸４を中心にして回転するように取り付けられている。
【００２１】
第１実施形態によれば、２つの可撓性ディスク３は、モータによって回転する同一の車軸４上で固定されて取り付けられている。
第２実施形態によれば、図示されてはいないが、可撓性ディスク３はそれぞれが、モータによって回転する軸の端部に取り付けられている。２本の軸は同軸とされ、１つのモータ手段または同期されている数個のモータ手段によって、同方向に同じ速度で駆動されている。
【００２２】
上述の実施形態にかかわらず、本発明に係る装置１の動作中、モータ手段を作動させると、可撓性ディスク３は、同方向に同じ速度で共に回転するが、それぞれの内側研磨面は互いに並んでいる状態である。
【００２３】
本発明によれば、研削装置はまた、外側に配置される押圧手段であって、可撓性ディスク３の外面３ｂと直接的に協働するする押圧手段５を備えている。
この押圧手段５は、図２に示されているように、可撓性ディスク３の直径方向に延びてはいない弦に沿って一直線に並んでおり、それらの間で少なくとも２つの可撓性ディスク３を把持する。
【００２４】
つまり、一直線に並んだ押圧手段５が、可撓性ディスク３上で弦を画定する。この弦は軸４を通ってはいない。
図１及び図２で可視化されている、ある保護された実施形態によれば、押圧手段５は、一列に並んだ担持用ボール５１で構成されている。
【００２５】
装置１の動作中、可撓性ディスク３が回転可能である場合、担持用ボール５１によって、２つのディスク３が直線に沿って確実に挟み込まれることになり、それぞれのディスクが可能な回転により減摩の機能が働く。
【００２６】
別の実施形態によれば、図示されてはいないが、押圧手段５は、極性が逆の２つの磁石で構成されている。２つの磁石は、互いに対向するように配置され、可撓性ディスク３に接触して配置されている摺動手段に連動する。
【００２７】
さらに別の実施形態によれば、図示されてはいないが、押圧手段５は、例えばセラミック製または鋼製の半月形の２つの単一棒で構成されている。
さらに別の実施形態によれば、図示されてはいないが、押圧手段５は、空圧システムで構成されている。
【００２８】
研削装置１はまた、可撓性ディスク３の各内面３ａに支圧をかける内部手段６も備えている。各ディスク３の内部手段６は、図１及び図３Ａに示されているように、ディスク３のうち、弦によって画定された部分であって軸４が貫通していない部分３０内での支圧によって作用している。
【００２９】
つまり、この内部手段６は、可撓性ディスク３の各内面３ａに支圧をかけることによって、互いに並んでいる両ディスク３の間隔を生じさせている。内部手段６が押圧手段５に対してディスクのどの位置に支圧をかけるかに応じて、図１に示されているような研削角αが決定される。
【００３０】
両ディスク３の間隔によって画定された空間内には、ブレード２が、回転している２つの可撓性ディスク３の間に位置するように導入される。したがって、角αはブレードの特徴２に応じて決定される角度であり、研削作業中、このブレード２の研削を可能にする角度である。
【００３１】
ある特定の実施形態によれば、ディスク３の内面３ａに支圧をかける内部手段６は、図３Ａ及び図３Ｂに示されているように、ボールスペーサで構成されている。ボールスペーサは、弦によって画定された部分であって可撓性ディスク３の各々の軸が貫通していない部分の周囲を転動するように意図されている。
【００３２】
この実施形態では、研削作業中、可撓性ディスク３が回転している間、スペーサの各ボールは、互いに並んでいる２つのディスク３の内面３ａに接触して転動することによって、ディスク同士の間隔が空いている状態を維持して、研削されるブレード２の経路を残す。この経路が研削角に相当する。
【００３３】
ブレード２を研削角内へと導入しやすくするために、装置１にはその上部に、脱着可能なブレードガイド８、好ましくは図１に示されているような階段形状のブレードガイドが設けられていることが有利である。
【００３４】
このブレードガイド８は、２つの可撓性ディスク３の各々の部分３ａの間に配置されることができる。つまり、図１に示されているように、ブレードガイド８は研削角の角度で位置している。
【００３５】
ある特定の実施形態によれば、本発明に係る装置１は、２組の可撓性ディスク３を有し、２組の可撓性ディスク３は、同一のモータによって順に作動する車軸４に各々が接続されている。これにより、２つのブレードの研削を、同じ装置で同時に行うことができる。
【００３６】
本発明は、ブレードの研削であって、精密な角度での望まれる研削が容易に行えるという利点を有する。より詳細には、本発明に係る装置１を用いることによって、
・研削角の精度を高めて、その角度誤差のリスクが最大でも０．１〜０．２％である
・研削速度を速めて、研削時間が、従来技術の装置では２〜３分であるのに対して、約１５〜２０秒と高速化する
・研削されたブレードの鋭利度を保持できる期間を長くする
・研削されたブレードの両面で同等かつ等角度を有する
ことが可能になる。
【００３７】
本発明に係る装置１の他の利点は、装置１の研削角の範囲内にブレードの位置を決めるために作業者が特別な努力をする必要がないという使いやすさで成り立っている。研削角は内部手段６に対する押圧手段５の位置を決めることによって形成されているので、研削されるブレード２の両面を並行して同時に研削した結果、従来技術の装置で得られたものと比較して、より高い研削品質と研削角精度が得られる。
【００３８】
したがって、研削作業を行うのが専門の訓練を受けた者でない使用者だとしても、装置１を用いることによって得られたブレード２は、従来技術で得られたブレードと比較して切れ味の品質やその維持期間において優れている。
【図１】
2020506078.tif 000003
【図２】
2020506078.tif 000004
【図３Ａ】
2020506078.tif 000005
【図３Ｂ】
2020506078.tif 000006
【国際調査報告】
2020506078.tif 000007
2020506078.tif 000008
2020506078.tif 000009
2020506078.tif 000010